(57)【特許請求の範囲】
【請求項１】
加入者ケーブルを収容するＨ側端子盤と交換機からの配線ケーブルを収容するＶ側端子盤とを備えたＭＤＦ端子盤における交換機切り替え方法において、
前記Ｈ側端子盤と前記Ｖ側端子盤とを接続するジャンパ線と交換機からの配線ケーブルとを切り分ける断器面の断器穴に少なくとも２点接触あるいは３点接触の接点接続機能を有するスイッチを備えた切り替え装置を装着し、該切り替え装置の接続部に新交換機からの配線ケーブルあるいは前記交換機からの前記配線ケーブルの引き出し線のいずれかを接続し、前記スイッチの操作により前記ジャンパ線へ接続する接触子と交換機からの配線ケーブルへ接続する接触子あるいは前記接続部へ接続する接触子とを接続することにより、旧交換機あるいは新交換機から前記加入者ケーブル側へ供給する接続信号の切り替えを行い、旧交換機から新交換機へ接続切り替えすることを特徴とする交換機切り替え方法。
【請求項２】
加入者ケーブルを収容するＨ側端子盤と交換機からの配線ケーブルを収容するＶ側端子盤とを備えたＭＤＦ端子盤の該Ｈ側端子盤と該Ｖ側端子盤とを接続するジャンパ線と交換機からの配線ケーブルとを切り分ける断器面の断器穴に挿着する交換機切り替え装置であって、新交換機からの配線ケーブルあるいは前記交換機からの前記配線ケーブルの引き出し線のいずれかを接続する接続部と、前記ジャンパ線へ接続する接触子と交換機からの配線ケーブルへ接続する接触子あるいは前記接続部へ接続する接触子とを接続する少なくとも２点接触あるいは３点接触の接点接続機能を有するスイッチとを設けることを特徴とする交換機切り替え装置。
【発明の詳細な説明】
【０００１】
【発明の属する技術分野】
本発明は、加入者ケーブルを収容するＨ側端子盤と交換機からの配線ケーブルを収容するＶ側端子盤とを備えたＭＤＦ端子盤において、旧交換機から新交換機へ接続切り替えする交換機切り替え方法及び装置に関する。
【０００２】
【従来の技術】
図１０は従来の２重ジャンパによる交換機の切り替え方法を示す構成説明図である。
図１０において、１は顧客宅内に設置されている電話機等の端末、２は顧客宅内からの線路ケーブルを収容しているＨ（Ｈｏｒｉｚｏｎｔａｌ）側端子盤、３は旧交換機、４は新交換機、５は旧交換機３からの配線ケーブルを収容しているＶ（Ｖｅｒｔｉｃａｌ）側端子盤、６は新交換機４からの配線ケーブルを収容しているＶ（Ｖｅｒｔｉｃａｌ）側端子盤である。
【０００３】
前記端末１へ旧交換機３からの回線を接続するには、ジャンパ線７を用いてＨ側端子盤２とＶ側端子盤５を接続することにより実現し、前記端末１へ新交換機４からの回線を接続するには、ジャンパ線８を用いてＨ側端子盤２とＶ側端子盤６を接続することにより実現する。
【０００４】
従来の旧交換機３から新交換機４への交換機の切り替え（以下、形変と称する）にあたっては、予め旧交換機３を収容するＶ側端子盤５（このジャンパ線７は既設）と、新交換機４を収容するＶ側端子盤６（新設）へ、Ｈ側端子盤２の同一端子から２本のジャンパ線７、８を接続し、新交換機４を収容するＶ側端子盤６において、端末１からの線路ケーブルと新交換機４からの配線ケーブルを切断器９により切断しておく。形変実施時には、新、旧のＶ側端子盤６，５の切断状態を交代させ、Ｖ側端子盤６を接続状態、Ｖ側端子盤５を切断状態にして、接続交換機を新交換機４に切替えている。
【０００５】
【発明が解決しようとする課題】
交換機の技術革新は日進月歩で進んでいる。これに伴って新タイプの交換機への切り替えも加速度的に早まっている。しかし、交換機の切り替え工事においては、従来どおりの２重ジャンパ方法に頼っているのが現状であり作業効率および安全性の面で問題がある。
【０００６】
即ち、形変にあたり、２重ジャンパが必要となり、２重ジャンパの膨大な接続稼働（人件費）が必要となる。
又、２重ジャンパを行った場合、ジャンパ線の接続の正常性を確認するため、２重ジャンパ検証器を用いて接続試験を行っているが、この膨大な稼働（人件費）も必要となる。
【０００７】
又、大量な切り替え工事を行う際、ジャンパ線の撤去による他のジャンパ線への被覆剥け等の悪影響を及ぼす可能性が大であり、このための故障発生の危険性が高い。
【０００８】
本発明は上記の事情に鑑みてなされたもので、形変の際、２重ジャンパを接続することなく、形変作業にかかわる断線時間を短時間にし得る交換機切り替え方法及び装置を提供することを目的とする。
【０００９】
【課題を解決するための手段】
上記目的を達成するために本発明の交換機切り替え方法は、加入者ケーブルを収容するＨ側端子盤と交換機からの配線ケーブルを収容するＶ側端子盤とを備えたＭＤＦ端子盤における交換機切り替え方法において、前記Ｈ側端子盤と前記Ｖ側端子盤とを接続するジャンパ線と交換機からの配線ケーブルとを切り分ける断器面の断器穴に少なくとも２点接触あるいは３点接触の接点接続機能を有するスイッチを備えた切り替え装置を装着し、該切り替え装置の接続部に新交換機からの配線ケーブルあるいは前記交換機からの前記配線ケーブルの引き出し線のいずれかを接続し、前記スイッチの操作により前記ジャンパ線へ接続する接触子と交換機からの配線ケーブルへ接続する接触子あるいは前記接続部へ接続する接触子とを接続することにより、旧交換機あるいは新交換機から前記加入者ケーブル側へ供給する接続信号の切り替えを行い、旧交換機から新交換機へ接続切り替えすることを特徴とする。
【００１０】
又、本発明の交換機切り替え装置は、加入者ケーブルを収容するＨ側端子盤と交換機からの配線ケーブルを収容するＶ側端子盤とを備えたＭＤＦ端子盤の該Ｈ側端子盤と該Ｖ側端子盤とを接続するジャンパ線と交換機からの配線ケーブルとを切り分ける断器面の断器穴に挿着する交換機切り替え装置であって、新交換機からの配線ケーブルあるいは前記交換機からの前記配線ケーブルの引き出し線のいずれかを接続する接続部と、前記ジャンパ線へ接続する接触子と交換機からの配線ケーブルへ接続する接触子あるいは前記接続部へ接続する接触子とを接続する少なくとも２点接触あるいは３点接触の接点接続機能を有するスイッチとを設けることを特徴とするものである。
【００１１】
【発明の実施の形態】
以下図面を参照して本発明の実施の形態例を詳細に説明する。
図１〜図７は本発明の一実施形態例を示し、図１（ａ），（ｂ）及び図２（ａ），（ｂ）は形変動作の一例を示す構成説明図である。１１は顧客宅内に設置されている電話機等の加入者端末、１２は顧客宅内からの加入者ケーブルを収容しているＭＤＦ端子盤のＨ（Ｈｏｒｉｚｏｎｔａｌ）側端子盤、１３は旧交換機、１４は新交換機、１５は交換機からの配線ケーブルを収容しているＭＤＦ端子盤のＶ（Ｖｅｒｔｉｃａｌ）側端子盤、１６はＨ側端子盤１２とＶ側端子盤１５を接続するジャンパ線、１７は旧交換機１３からの配線ケーブルをＶ側端子盤１５に接続するコネクタ、１８は新交換機１４からの配線ケーブルをＶ側端子盤１５に接続するコネクタ、１９はコネクタ１８を介して新交換機１４に接続されるフラットケーブル、２０はＶ側端子盤１５のジャンパ線１６と交換機からの配線ケーブルとを切り分ける断器面の断器穴に挿着する形変装置、２１は形変装置２０に設けられた前記ジャンパ線１６へ接続する接触子２２と前記旧交換機１３からの配線ケーブルへ接続する接触子２３あるいは前記フラットケーブル１９へ接続する接触子２４とを接続する少なくとも２点接触あるいは３点接触の接点接続機能を有するスイッチ、２５，２６はそれぞれ形変装置２０に設けられた接続子である。
【００１２】
即ち、先ず図１（ａ）は形変装置２０をＶ側端子盤１５に装着する時点を示し、旧交換機１３からの配線ケーブルのコネクタ１７はＶ側端子盤１５に差し込まれている。形変装置２０がＶ側端子盤１５のジャンパ線１６と旧交換機１３からの配線ケーブルとを切り分ける断器面の断器穴に挿着されると、形変装置２０の接続子２５がジャンパ線１６に接続され、形変装置２０の接続子２６が旧交換機１３からの配線ケーブルに接続される。形変装置２０のスイッチ２１は接触子２２と接触子２３が接続される２点接触の状態になる。すなわち、旧交換機１３からの接続信号はコネクタ１７，接続子２６，接触子２３，接触子２２，接続子２５，ジャンパ線１６，Ｈ側端子盤１２を順次経由して加入者端末１１へ供給される。
【００１３】
次に、図１（ｂ）は形変実施時を示し、形変装置２０のスイッチ２１が接触子２２と接触子２４を接続する２点接触の状態になるように切り替えられ、新交換機１４から加入者端末１１へ接続信号を供給するように変更される。すなわち、新交換機１４からの接続信号はコネクタ１８，フラットケーブル１９，接触子２４，接触子２２，接続子２５，ジャンパ線１６，Ｈ側端子盤１２を順次経由して加入者端末１１へ供給される。
【００１４】
次に、図２（ａ）は旧交換機１３からのコネクタ１７と新交換機１４からのコネクタ１８を差し替える場合の動作を示し、旧交換機１３に接続されているコネクタ１７（１６個すべて）をＶ側端子盤１５から取り外す。形変装置２０のスイッチ２１が接触子２２と接触子２３と接触子２４が接続される３点接触の状態になるように切り替えられる。新交換機１４に接続されているコネクタ１８（１６個すべて）をＶ側端子盤１５に差し込む。すなわち、新交換機１４からの接続信号はコネクタ１８，フラットケーブル１９，接触子２４，接触子２３，接触子２２，接続子２５，ジャンパ線１６，Ｈ側端子盤１２を順次経由して加入者端末１１へ供給されると共に、新交換機１４からの接続信号はコネクタ１８，接続子２６，接触子２３，接触子２２，接続子２５，ジャンパ線１６，Ｈ側端子盤１２を順次経由して加入者端末１１へ供給される。
【００１５】
最後に、図２（ｂ）に示すように、形変装置２０をＶ側端子盤１５から取り外した後、新交換機１４へ接続されているコネクタ１８のフラットケーブル１９を取り外すことにより、旧交換機１３から新交換機１４への接続切り替えは全て完了する。すなわち、新交換機１４からの接続信号はコネクタ１８，Ｖ側端子盤１５，ジャンパ線１６，Ｈ側端子盤１２を順次経由して加入者端末１１へ供給される。
【００１６】
図３はＭＤＦ端子盤のＶ側端子盤１５の一例を示す斜視図である。Ｖ側端子盤１５は、旧交換機１３からの配線ケーブルとジャンパ線１６を収容している。３１はジャンパ線の収容面、３２はジャンパ線の接続面、３３はジャンパ線と交換機からの配線ケーブルを切り分けるための断器面、１７は旧交換機１３からの配線ケーブルの先端に取り付けられているコネクタである。３４は１回線分のジャンパ線接続部であり、Ｈ側端子盤１２もＶ側端子盤１５と同じ構造となっている。図示したのは１回線分のジャンパ線を接続した状態である。
【００１７】
尚、２重ジャンパを行うためには、Ｈ側端子盤のジャンパ線接続部（３４）において、右側に示した、空いている接続部分へジャンパ線を接続しダブル付け状態とする。
【００１８】
３５は旧交換機１３からの配線ケーブルとジャンパ線１６を切り分けるための断器穴であり、１回線につき一対分、すなわち２個の断器穴３５がある。Ｖ側端子盤１５全体では、１２８回線で２５６個の断器穴３５がある。
【００１９】
図４はＶ側端子盤１５に形変装置２０を装着した状態の一例を示す斜視図である。形変装置２０はＶ側端子盤１５のジャンパ線１６と旧交換機１３からの配線ケーブルとを切り分ける断器面３３の断器穴３５に挿着される。４１は形変装置２０により１６個の断器穴３５から外部へ引き出された引き出し線であり、コネクタ対応で１６本引き出される。引き出し線４１の先端にはコネクタ４２が接続されている。
【００２０】
図５は新交換機１４及びコネクタ１８の一例を示す斜視図である。１８は新交換機１４からの配線ケーブルの先端に取り付けられたコネクタである。部品は前記コネクタ１７と同じである。１９は引き出し線コネクタ４２とコネクタ５１により接続されるフラットケーブルであり、新交換機１４からの配線ケーブルとコネクタ１８内で、ダブル付けを行う。
【００２１】
図６は形変実施時の接続形態の一例を示す斜視図である。新交換機１４に接続されたフラットケーブル１９の先端に取り付けられたコネクタ５１が引き出し線４１の先端のコネクタ４２に接続される。
【００２２】
図７はコネクタ１８内における新交換機１４からの配線ケーブルとフラットケーブル１９間のダブル付け接続方法の一例を示す説明図である。
６１はコネクタ１８の内部に格納されている接続端子部分を構成するメス側のコネクタであり、６２はコネクタ１８の内部に格納されている接続端子部分を構成する新交換機１４からの配線ケーブルを保護するための保護カバーである。６３はコネクタ６１の背部の構造を示し、この背部の構造６３に新交換機１４からの配線ケーブル６４を接続する。６５は保護カバー６２の背部の構造を示し、この背部の構造６５にフラットケーブル１９からの配線６６を接続する。保護カバー６２を被せることにより、新交換機１４からの配線ケーブル６４とフラットケーブル１９からの配線６６がダブル付けの状態で接続できる。
【００２３】
尚、形変完了後は、フラットケーブル１９を抜き取る。
図８（ａ），（ｂ）及び図９（ａ），（ｂ）は本発明の他の実施形態例の形変動作の一例を示す構成説明図である。１１は顧客宅内に設置されている電話機等の加入者端末、１２は顧客宅内からの加入者ケーブルを収容しているＭＤＦ端子盤のＨ側端子盤、１３は旧交換機、１４は新交換機、１５は交換機からの配線ケーブルを収容しているＭＤＦ端子盤のＶ側端子盤、１６はＨ側端子盤１２とＶ側端子盤１５を接続するジャンパ線、１７は旧交換機１３からの配線ケーブルをＶ側端子盤１５に接続するコネクタ、１８は新交換機１４からの配線ケーブルをＶ側端子盤１５に接続するコネクタ、２０はＶ側端子盤１５のジャンパ線１６と交換機からの配線ケーブルとを切り分ける断器面の断器穴に挿着する形変装置、２１は形変装置２０に設けられた前記ジャンパ線１６へ接続する接触子２２と前記旧交換機１３からの配線ケーブルへ接続する接触子２３あるいは旧交換機１３からの配線ケーブルの引き出し線２７へ接続する接触子２４とを接続する少なくとも２点接触あるいは３点接触の接点接続機能を有するスイッチ、２５，２６はそれぞれ形変装置２０に設けられた接続子である。
【００２４】
即ち、先ず図８（ａ）は形変装置２０をＶ側端子盤１５に挿入する時点を示し、旧交換機１３からの配線ケーブルのコネクタ１７はＶ側端子盤１５に差し込まれている。形変装置２０がＶ側端子盤１５のジャンパ線１６と旧交換機１３からの配線ケーブルとを切り分ける断器面の断器穴に挿入されると、形変装置２０の接続子２５がジャンパ線１６に接続され、形変装置２０の接続子２６が旧交換機１３からの配線ケーブルに接続される。形変装置２０のスイッチ２１は接触子２２と接触子２３が接続される２点接触の状態になる。すなわち、旧交換機１３からの接続信号はコネクタ１７，接続子２６，接触子２３，接触子２２，接続子２５，ジャンパ線１６，Ｈ側端子盤１２を順次経由して加入者端末１１へ供給される。
【００２５】
次に、図８（ｂ）はコネクタ差し替え時を示す。先ず、形変装置２０のスイッチ２１が接触子２２と接触子２４を接続する２点接触の状態になるように切り替えられ、旧交換機１３からの配線ケーブルの引き出し線２７から加入者端末１１へ接続信号を供給するように変更される。すなわち、旧交換機１３，引き出し線２７，接触子２４，接触子２２，接続子２５，ジャンパ線１６，Ｈ側端子盤１２を順次経由して加入者端末１１へ供給される。その後、旧交換機１３からの配線ケーブルのコネクタ１７はＶ側端子盤１５から引き抜かれ、替わりに新交換機１４からの配線ケーブルのコネクタ１８がＶ側端子盤１５に差し込まれる。
【００２６】
次に、図９（ａ）は形変実施時を示し、形変装置２０のスイッチ２１が接触子２２と接触子２３を接続する２点接触の状態になるように切り替えられ、新交換機１４から加入者端末１１へ接続信号を供給するように変更される。すなわち、新交換機１４からの接続信号はコネクタ１８，接続子２６，接触子２３，接触子２２，接続子２５，ジャンパ線１６，Ｈ側端子盤１２を順次経由して加入者端末１１へ供給される。
【００２７】
最後に、図９（ｂ）は後処理、形変装置取外しを示し、形変装置２０をＶ側端子盤１５から取り外した後、引き出し線２７を旧交換機１３からの配線ケーブルから取り外すことにより、旧交換機１３から新交換機１４への接続切り替えは全て完了する。すなわち、新交換機１４からの接続信号はコネクタ１８，Ｖ側端子盤１５，ジャンパ線１６，Ｈ側端子盤１２を順次経由して加入者端末１１へ供給される。
【００２８】
以上のように形変装置は、Ｖ側端子盤に取り付けることで旧交換機からのケーブル配線、新交換機からのケーブル配線、ジャンパ線を引き込み、スイッチにより接続先を変更することで、形変の作業を実施する。したがって、回線の断線時間についても従来以上の高速で回復可能である。
【００２９】
尚、Ｖ側端子盤への形変装置の取り付け、取り外しの時点で回線の断線が無いように、スイッチ部分で３点接触等の機能を有する。
このように形変にあたり、２重ジャンパが不要となり、２重ジャンパの膨大な接続稼働（人件費）が不要となる。
【００３０】
又、２重ジャンパを行った場合、ジャンパ線の接続の正常性を確認するため、２重ジャンパ検証器を用いて接続試験を行っているが、この膨大な稼働（人件費）も不要となる。
【００３１】
又、大量な切り替え工事を行う際、ジャンパ線の撤去による他のジャンパ線への被覆剥け等の悪影響を及ぼす可能性が大であり、このための故障発生の危険性が高いが、形変装置を用いることにより、これを防止することが可能となる。
【００３２】
【発明の効果】
以上述べたように本発明によれば、形変の際、２重ジャンパを接続することなく、形変作業にかかわる断線時間を短時間にし得る交換機切り替え方法及び装置を提供することができる。
【図面の簡単な説明】
【図１】本発明の一実施形態例の一部を示す構成説明図である。
【図２】本発明の一実施形態例の一部を示す構成説明図である。
【図３】本発明に係るＭＤＦ端子盤のＶ側端子盤の一例を示す斜視図である。
【図４】本発明に係るＶ側端子盤に形変装置を装着した状態の一例を示す斜視図である。
【図５】本発明に係る新交換機及びコネクタの一例を示す斜視図である。
【図６】本発明に係る形変実施時の接続形態の一例を示す斜視図である。
【図７】本発明に係るコネクタ内における新交換機からの配線ケーブルとフラットケーブル間のダブル付け接続方法の一例を示す説明図である。
【図８】本発明の他の実施形態例の一部を示す構成説明図である。
【図９】本発明の他の実施形態例の一部を示す構成説明図である。
【図１０】従来の２重ジャンパによる交換機の切り替え方法を示す構成説明図である。
【符号の説明】
１１  電話機等の加入者端末、
１２  加入者ケーブルを収容しているＭＤＦ端子盤のＨ側端子盤、
１３  旧交換機、
１４  新交換機、
１５  交換機からの配線ケーブルを収容しているＭＤＦ端子盤のＶ側端子盤、
１６  Ｈ側端子盤１２とＶ側端子盤１５を接続するジャンパ線、
１７  旧交換機１３からの配線ケーブルをＶ側端子盤１５に接続するコネクタ、
１８  新交換機１４からの配線ケーブルをＶ側端子盤１５に接続するコネクタ、
１９  コネクタ１８を介して新交換機１４に接続されるフラットケーブル、
２０  Ｖ側端子盤１５のジャンパ線１６と交換機からの配線ケーブルとを切り分ける断器面の断器穴に挿着する形変装置、
２１  形変装置２０に設けられた前記ジャンパ線１６へ接続する接触子２２と前記旧交換機１３からの配線ケーブルへ接続する接触子２３あるいは前記フラットケーブル１９へ接続する接触子２４とを接続する少なくとも２点接触あるいは３点接触の接点接続機能を有するスイッチ、
２５，２６  それぞれ形変装置２０に設けられた接続子、
２７  旧交換機１３からの配線ケーブルの引き出し線。
【図１】
0003591990.tif 000002
【図２】
0003591990.tif 000003
【図３】
0003591990.tif 000004
【図４】
0003591990.tif 000005
【図５】
0003591990.tif 000006
【図６】
0003591990.tif 000007
【図７】
0003591990.tif 000008
【図８】
0003591990.tif 000009
【図９】
0003591990.tif 000010
【図１０】
0003591990.tif 000011